(57)【要約】      （修正有）【課題】使用時には、指先の筋力が十分ではない者でも容易にカップ容器を扱うことができ、かつ、飲み口やカップ容器の側周面のデザインを遮ることなくカップ容器を安定的に保持でき、非使用時にはコンパクトに収納可能なカップ容器補助具を提供する。【解決手段】カップ容器８の上端縁部を支持する上端支持部材５と、カップ容器８の高台もしくは外周側面を支持するリング型台座部２ａを有する下端支持部材２と、下端支持部材２と左右に対峙するように設けられ、右手もしくは左手で握る棒状のハンドル部３ｂを備える把持部材３とから構成され、上端支持部材５は、把持部材３の上端に脱着自在に接続又は一体化され、かつ、下端支持部材２は、把持部材３の下端に連結又は一体化される。【選択図】図１
0003222287.tif 000002
【実用新案登録請求の範囲】
【請求項１】
カップ容器の上端縁部を支持する上端支持部材と、
カップ容器の高台もしくは外周側面を支持するリング型台座部を有する下端支持部材と、
前記下端支持部材と左右に対峙するように設けられ、右手もしくは左手で握る棒状のハンドル部を備える把持部材とから構成され、
前記上端支持部材は、前記把持部材の上端に脱着自在に接続又は一体化され、かつ、前記下端支持部材は、前記把持部材の下端に連結又は一体化された、
ことを特徴とするカップ容器補助具。
【請求項２】
前記上端支持部材は、前記カップ容器の上端縁部を嵌合し得る溝部が設けられた上端支持部を備え、前記上端支持部は、前記上端縁部の手前側よりも奥側に長く延設されたことを特徴とする請求項１に記載のカップ容器補助具。
【請求項３】
前記把持部材の上端には、雌螺子部と、前記雌螺子部に螺合する雄螺子部を備えた留め具が設けられ、
前記上端支持部材は、円形状又は長円形状の貫通孔が形成された固定部と、前記上端支持部を備え、
前記貫通孔に前記留め具を挿通し、前記留め具と前記把持部材の上端を螺合することにより、前記上端支持部材を回動自在に固定し得ることを特徴とする請求項１又は２に記載のカップ容器補助具。
【請求項４】
前記貫通孔は長円形状に形成され、
前記貫通孔に前記留め具を挿通し、前記留め具と前記把持部材の上端を螺合する際に、前記把持部材から前記上端支持部までの距離を調節自在に固定し得ることを特徴とする請求項３に記載のカップ容器補助具。
【請求項５】
前記把持部材は、前記下端支持部材にヒンジ部を介して連結され、折り畳み可能であることを特徴とする請求項１〜４の何れかに記載のカップ容器補助具。
【請求項６】
前記ハンドル部は、外形において、直円柱又は直角柱形状であり、前記カップ容器の高さと略同等の高さを有することを特徴とする請求項１〜５の何れかに記載のカップ容器補助具。
【請求項７】
前記ハンドル部には、把持する手から前記ハンドル部が抜け落ちることを防止するための少なくとも１つの凸部が設けられたことを特徴とする請求項１〜６の何れかに記載のカップ容器補助具。
【考案の詳細な説明】
【技術分野】
【０００１】
本考案は、高齢などにより、指先の筋力が十分ではない者でも容易に食器を扱うことのできる補助具に関するものである。
【背景技術】
【０００２】
近年、高齢化社会が進むにつれて、介護は重要な社会問題となっているが、介護は被介護者の生活を全てサポートすることが望まれるわけではなく、むしろ被介護者にとってできることは被介護者自身で行うことが望ましいといえる。
例えば、日々の食事は高齢者にとっても大きな楽しみの１つであることが多い。そして、そのような食事において、介護者から食べさせてもらうのではなく、自分の手で食器を持って食べるという行為は、食事の楽しさや美味しさをより増大させるものである。
しかしながら、一般に、高齢になればなるほど指先の筋力が衰え、茶碗や皿などの食器を把持することが難しくなると言われている。
一方で、１本１本の指の筋力が衰えていても、片方の手全体の握力としては、十分に、食器を把持し得るだけの筋力がある場合も多い。
また、高齢者だけではなく、先天的な疾患や後天的な傷病等により指先の筋力が十分ではない障がい者も存在する。
そこで、指先の筋力が十分ではない高齢者や障がい者でも簡単に把持できる食器の補助具が望まれている。
【０００３】
他方、近年では、熱湯を注ぐだけで容易に調理可能なカップ容器入り食品が多数販売され、多くの消費者に利用されている。カップ容器入り食品とは、耐熱性及び耐水性を有する容器に、インスタントラーメン、蕎麦、うどん等の即席麺等が封入されたものであり、蓋を開けて、カップ容器に熱湯を注ぎ、３〜５分待つだけで容易に調理できるため、利便性が高い食品として利用されている。
しかしながら、カップ容器入り食品に用いられるカップ容器としては、ポリスチレン製や紙製のものが多く使用されている。ポリスチレンに気泡を含ませた発泡スチロール製の容器であれば、保温性・断熱性が高く、容器に熱湯を注いだ状態で、容器を把持することも比較的容易である。これに対して、紙製容器の場合には、容器に熱湯を注ぐと容器に熱が伝わって熱くなり、容器を把持しづらくなるという問題がある。
【０００４】
カップ容器入り食品の容器の把持を容易にする技術としては、円筒状に形成された支持部を備えた即席カップ麺の飲食用具が知られている（特許文献１を参照）。これは、支持部を下方に向かって短径となる円筒状に形成し、或は有底とすることでカップを安定して支持可能としたものである。支持部の側周面には持ち手が設けられ、カップ内に熱湯を注入した際においても、持ち手を持つことでカップに直接触れることなく飲食を行うことを可能としている。
しかしながら、上記特許文献１に開示された飲食用具は、円筒状の支持部に対して、上方からカップ容器を挿し込んで使用するものであるため、例えば、使用者がカップ容器内のスープを飲み干そうとした際に、カップ容器を大きく傾けると、支持部からカップ容器が抜け落ちてしまうという問題がある。
また、使用するカップ容器のサイズに合わせて支持部を設計する必要があり、僅かでもサイズが適合しないと使用できないという問題がある。
【０００５】
また、異なるサイズのカップ容器を収容可能なカップ食品ホルダーが知られている（特許文献２を参照）。これは、カップ容器を保持する保持体の上部に着脱自在の調整リングを嵌合させるものであり、また、保持体の内周面と調整リング外周面との間に高さ調整機構を設けることで、より多様な種類のカップ容器を収容可能としたものである。
しかしながら、上記特許文献２に開示されたカップ食品ホルダーについても、上方からカップ容器を挿し込んで使用するものであるため、カップ容器を大きく傾けた際に、カップ食品ホルダーからカップ容器が抜け落ちてしまうという問題がある。
【０００６】
一般に、カップ容器の側周面には、消費者の購買意欲を高めるため多彩なデザインが施されていることが多く、そのデザインを楽しむことも、カップ容器入り食品を食する際の楽しみの１つであるといえる。
しかしながら、上記特許文献１に開示された飲食用具と、上記特許文献２に開示されたカップ食品ホルダーは、いずれも上方からカップ容器を挿し込んで使用するものであるため、飲食用具又はホルダーの材質によっては、カップ容器の側周面に施されたデザインを十分に楽しむことができないという問題もある。
【０００７】
また、手や腕を動かせる範囲は人それぞれであり、高齢者や障がい者の場合、高く手を上げることが困難なことも存在する。そこで、利用者のニーズに応じた持ち手の位置を提供するため、持ち手の位置は、高い位置から低い位置まで、幅広く設けられることが望ましいが、上記特許文献１に開示された飲食用具や、上記特許文献２に開示されたカップ食品ホルダーでは、持ち手の位置についての考慮はなされていないという問題がある。
【先行技術文献】
【特許文献】
【０００８】
【特許文献１】実用新案登録第３１２５４７２号公報
【特許文献２】特開２００８−１７９３６８号公報
【考案の概要】
【考案が解決しようとする課題】
【０００９】
本考案者は、鋭意検討の結果、カップ容器の上端と下端を挟持して固定することで、デザインを遮ることなくカップ容器を安定的に保持できるとの知見を得た。
しかしながら、カップ容器入り食品を食する際には、カップ容器の上端縁部を飲み口として使用することがあるため、カップ容器の上端と下端を挟持した場合でも、飲み口を遮らないようにする工夫が必要である。
また、嵩張る形状であれば、持ち歩くことや、食器洗浄機のかごに収納することは困難であるため、非使用時における収納性も重要である。
上記状況に鑑みて、本考案は、使用時には、指先の筋力が十分ではない者でも容易にカップ容器を扱うことができ、かつ、飲み口やカップ容器の側周面のデザインを遮ることなくカップ容器を安定的に保持でき、非使用時にはコンパクトに収納可能なカップ容器補助具を提供することを目的とする。
【課題を解決するための手段】
【００１０】
上記目的を達成すべく、本考案のカップ容器補助具は、カップ容器の上端縁部を支持する上端支持部材と、カップ容器の高台もしくは外周側面を支持するリング型台座部を有する下端支持部材と、下端支持部材と左右に対峙するように設けられ、右手もしくは左手で握る棒状のハンドル部を備える把持部材とから構成され、上端支持部材は、把持部材の上端に脱着自在に接続又は一体化され、かつ、下端支持部材は、把持部材の下端に連結又は一体化される。
カップ容器を上下から挟持して固定することにより、抜け落ち難く安定的に保持することが可能となる。また、カップ容器の側周面を遮らないため、カップ容器の側周面に施されたデザインを楽しみながら飲食を行うことができる。
使用するカップ容器の材質は、ポリスチレン又は紙であることが好ましいが、その他の樹脂、木、陶磁器、ガラスでもよい。
【００１１】
本考案のカップ容器補助具において、上端支持部材は、カップ容器の上端縁部を嵌合し得る溝部が設けられた上端支持部を備え、上端支持部は、上端縁部の手前側よりも奥側に長く延設されたことが好ましい。
上端支持部が、奥側に長く設けられることにより、カップ容器をしっかりと支持することができる。また、上端支持部の手前側は短く設けられるので、飲み口を遮ることのない構成となっている。
【００１２】
本考案のカップ容器補助具において、把持部材の上端には、雌螺子部と、雌螺子部に螺合する雄螺子部を備えた留め具が設けられ、上端支持部材は、円形状又は長円形状の貫通孔が形成された固定部と、上端支持部を備え、貫通孔に留め具を挿通し、留め具と把持部材の上端を螺合することにより、上端支持部材を回動自在に固定し得ることが好ましい。
留め具を用いて上端支持部材を固定することにより、必要に応じて上端支持部材を取り外し、或は取り替えることができる。
【００１３】
本考案のカップ容器補助具において、貫通孔は長円形状に形成され、貫通孔に留め具を挿通し、留め具と把持部材の上端を螺合する際に、把持部材から上端支持部までの距離を調節自在に固定し得ることが好ましい。
これにより、取り付けるカップ容器の上端の径に合わせて、把持部材に対する上端支持部材の固定位置を調節して、固定することができる。
【００１４】
本考案のカップ容器補助具において、把持部材は、下端支持部材にヒンジ部を介して連結され、折り畳み可能であることが好ましい。
折り畳み可能とされることにより、コンパクトに収納でき、持ち運びが容易となり利便性が向上する。また、食器洗浄機のかごにも収納しやすい形状となるため、洗浄の際の利便性も向上する。
【００１５】
本考案のカップ容器補助具において、ハンドル部は、外形において、直円柱又は直角柱形状であり、カップ容器の高さと略同等の高さを有することが好ましい。
ハンドル部が、直円柱又は直角柱形状とされることにより、ハンドル部の上方から下方まで、任意の位置を把持して利用でき、把持しやすい形状となる。ここで、直円柱における平面視での形状は、正円に限らず、楕円も含む。
【００１６】
本考案のカップ容器補助具において、ハンドル部には、把持する手からハンドル部が抜け落ちることを防止するための少なくとも１つの凸部が設けられたことが好ましい。
凸部が設けられることにより、滑り止めの効果が得られることになる。
【００１７】
本考案のカップ容器補助具において、ハンドル部は、直径が２５〜３５ｍｍの直円柱形状であることが好ましく、より好ましくは２８〜３２ｍｍである。
ハンドル部の直径が上記範囲とされることにより、使用者にとって把持しやすい形状となる。
【考案の効果】
【００１８】
本考案のカップ容器補助具によれば、使用時には、指先の筋力が十分ではない者でも容易にカップ容器を扱うことができ、かつ、飲み口やカップ容器の側周面のデザインを遮ることなくカップ容器を安定的に保持でき、非使用時にはコンパクトに収納できるといった効果を有する。
【図面の簡単な説明】
【００１９】
【図１】カップ容器補助具の外観斜視図
【図２】カップ容器補助具の正面図
【図３】上端支持部材の説明図
【図４】把持部材と留め具の構造説明図
【図５】カップ容器補助具の平面図
【図６】上端支持部材の機能説明図
【図７】把持部材の背面図
【図８】カップ容器補助具の使用イメージ図
【図９】カップ容器の取付けイメージ図
【図１０】その他の実施例のカップ容器補助具の外観斜視図
【図１１】その他の実施例の下端支持部材の斜視図
【考案を実施するための最良の形態】
【００２０】
以下、本考案の実施形態について、図面を参照しながら詳細に説明していく。なお、本考案の範囲は、以下の実施例や図示例に限定されるものではなく、幾多の変更及び変形が可能である。
【実施例１】
【００２１】
図１は、実施例１のカップ容器補助具の外観斜視図を示している。図１に示すように、カップ容器補助具１は、下端支持部材２、把持部材３及び上端支持部材５から成り、下端支持部材２と把持部材３はヒンジ部４により連結されている。下端支持部材２は、台座部２ａ、外壁部２ｂ及び内壁部２ｃから成る。
また、把持部材３は、ベース部３ａ及びハンドル部３ｂから成り、ハンドル部３ｂには、凸部（３１ａ〜３１ｃ）が設けられている。上端支持部材５は、
留め具６及びワッシャ（図示せず）を用いて把持部材３に固定されている。
カップ容器補助具１は、上端支持部材５と下端支持部材２により、カップ容器８を上下から挟持することで、カップ容器８を安定的に保持できる。
【００２２】
図２は、カップ容器補助具の正面図であり、（１）は下端支持部材を伸展した状態、（２）は下端支持部材を折り畳んだ状態を示している。図２（１）に示すように、把持部材３のベース部３は、ヒンジ部４を介して、下端支持部材２と左右に対峙するように設けられ、左手で握る棒状のハンドル部３ｂを備えている。ここでは左手で握るカップ容器補助具１について説明するが、これとは逆に右手で握るカップ容器補助具とすることも可能である。
下端支持部材２は、リング型の台座部２ａ上に外壁部２ｂ及び内壁部２ｃが設けられている。図９は、カップ容器の取付けイメージ図を示している。カップ容器８は、一般的な紙製カップ容器の正面視の断面イメージであり、下端には高台８１が設けられている。かかる高台８１を、台座部２ａ、外壁部２ｂ及び内壁部２ｃによって形成された溝部２ｄに嵌合することにより、カップ容器８を下から支持する構造である。
【００２３】
カップ容器補助具１を使用する際には、図２（１）に示すように、下端支持部材２を伸展した状態とするが、カップ容器補助具１を使用しない場合、例えば、バッグに入れて持ち歩く場合や、食器洗浄機のかごに入れる場合には、下端支持部材２を伸展した状態では嵩張ってしまうという問題がある。そこで、図２（２）に示すように、カップ容器補助具１は、ヒンジ部４を軸中心に下端支持部材２を回転させて上方に折り畳むことで、コンパクトに収納できる構造となっている。本実施例では、下端支持部材２を折り畳んだ状態でも、上端支持部材５と干渉しないサイズとなっているが、上端支持部材５は取り外すことができ、また後述するように上端支持部５ａの向きを変えることも可能であるので、下端支持部材２のサイズが限定されるものではない。
なお、図２では下端支持部材２は上方に略９０°屈曲した状態となっているが、ハンドル部３ｂに当接する角度を限度として、９０°以上屈曲させることも可能である。
【００２４】
図３は、上端支持部材の説明図であり、（１）は底面図、（２）は斜視図を示している。図３（１）又は（２）に示すように、上端支持部材５は、上端支持部５ａ及び固定部５ｂから成り、上端支持部５ａには溝部５ｃが形成され、固定部５ｂには長円形状の貫通孔５ｄが形成されている。上端支持部材５は、固定部５ｂにおいて留め具６を用いて把持部材３と固定される。留め具６の構造については、図４を参照して説明する。
【００２５】
図４は、把持部材と留め具の構造説明図であり、（１）は正面図、（２）は斜視図を示している。図４（２）に示すように、留め具６には雄螺子部６０が形成されている。また、把持部材３の上端には孔が設けられ、雄螺子部６０と螺合し得るように、雌螺子部３０が形成されている。また、図４（１）又は（２）に示すように、ワッシャ７が設けられている。
留め具６により上端支持部材５を把持部材３に固定する際には、図２（１）に示すように、ワッシャ７と把持部材３の間に上端支持部材５の固定部５ｂを挟んで、留め具６の雄螺子部６０と把持部材３の雌螺子部３０を螺合して固定する。
【００２６】
図５は、カップ容器補助具の平面図であり、（１）は上端支持部材の支持部をカップ容器の設置方向に向けた場合、（２）は上端支持部材の支持部を使用者（図示せず）の手前方向に向けた場合を示している。
前述したように、カップ容器補助具１は、下端支持部材２上にカップ容器８を取り付けて、棒状のハンドル部３ｂを左手で握って使用するものである。上端支持部材５の上端支持部５ａをカップ容器の設置方向に向けた場合には、上端支持部材５の上端支持部５ａは、図５（１）に示すように、部位９ａが部位９ｂよりも長く設けられている。したがって、カップ容器８がカップ容器補助具１に取り付けられた際に、上端支持部５ａによって飲み口が遮られることのない形状となっている。
【００２７】
図９に示すように、カップ容器補助具１は、カップ容器８の上端縁部８２に、
上端支持部材５の上端支持部５ａに設けられた溝部５ｃを嵌合すると共に、カップ容器８の高台８１に、下端支持部材２に設けられた溝部２ｄを嵌合する。このように、上端支持部材５と下端支持部材２によりカップ容器８をしっかりと挟持することで、カップ容器８を安定的に固定できる構造である。
したがって、図５（１）に示すように、上端支持部５ａをカップ容器の設置方向に向けた状態のままで、カップ容器８を取り付けることが困難な場合には、上端支持部５ａの向きを変えることで、容易にカップ容器８を取り付けることが可能である。
すなわち、前述したように、上端支持部材５は、留め具６を用いて把持部材３に固定されている。したがって、留め具６を緩めることで、上端支持部５ａの向きを変えることができる。例えば、図５（２）に示すように、上端支持部５ａを使用者の手前方向に向けることで、上端支持部材５の干渉を受けずに、カップ容器８を下端支持部材２に取り付けることができる。そして、カップ容器８を下端支持部材２に取り付けた後に、上端支持部５ａをカップ容器８の上端縁部８２に嵌合し、留め具６を締めることで、カップ容器８をしっかりと固定できる。
【００２８】
図４（２）に示すように、留め具６の雄螺子部６０は、略円筒形状となっている。これに対して、図３（１）で示すように、固定部５ｂには長円形状の貫通孔５ｄが形成されている。貫通孔５ｄの形状は、カップ容器８の上端の形状に合わせて、把持部材３に対する上端支持部材５の固定位置を調節可能としたものである。
図６は、上端支持部材の機能説明図であり、（１）は上端の径が小さいカップ容器を取り付けた場合、（２）は上端の径が大きいカップ容器を取り付けた場合を示している。図６（１）及び（２）に示すように、カップ容器８ａとカップ容器８ｂを比較すると、カップ容器８ａの直径Ｒ１よりも、カップ容器８ｂの直径Ｒ２の方が大きいことが分かる。
【００２９】
図６（１）に示すように、上端の径が小さいカップ容器８ａを取り付ける場合には、上端支持部材５を右方に寄せることで、径が比較的小さいカップ容器であっても溝部５ｃに上端縁部８２を嵌合することで、カップ容器８ａを固定することが可能である。また、図６（２）に示すように、上端の径が大きいカップ容器８ｂを取り付ける場合には、上端支持部材５を左方に寄せることで、径が比較的大きいカップ容器であっても溝部５ｃに上端縁部８２を嵌合することで、カップ容器８ｂを固定することが可能である。
【００３０】
次に、ハンドル部の構造について説明する。図７は、把持部材の背面図を示している。図７に示すように、ハンドル部３ｂの背面側には、略半円状に凸部（３１ａ〜３１ｃ）が設けられている。これに対して、図２（１）等に示すように、ハンドル部３ｂの正面側には凸部は設けられていない。これは、凸部（３１ａ〜３１ｃ）が、把持する手（図示せず）からハンドル部３ｂが抜け落ちることを防止するために設けられたことによる。すなわち、把持する左手の人差し指、中指、薬指及び小指の少なくとも何れかの指と指の間に凸部（３１ａ〜３１ｃ）が嵌ることで、滑り止めの効果を生じさせるのである。
したがって、例えばハンドル部３ｂの背面側だけではなく、正面側にも凸部を設ける構成としてもよい。
また、ハンドル部３ｂの直径Ｒ３は、３０ｍｍであり、多くの使用者にとって把持しやすい径となっている。
【００３１】
図８は、カップ容器補助具の使用イメージ図を示している。図８に示すように、カップ容器補助具１には、カップ容器８が取り付けられている。カップ容器８は、図９の矢印（１０ａ〜１０ｃ）に示すように、上下から挟持され固定されているため、カップ容器８を傾けてもカップ容器補助具１から脱落しない構造である。したがって、握力の弱い使用者であっても、ハンドル部３ｂを把持することで、カップ容器８の側周面に伝えられた熱の影響を受けることなく、容易に持ち上げて、飲食を行うことができる。
また、従来のカップホルダー等とは異なり、カップ容器８の側周面を遮ることがないため、カップ容器８の側周面に施されたデザインを楽しみながら飲食ができる。
なお、ハンドル部３ｂは、地面に対して垂直に設けられており、把持して、持ち上げやすい形状となっている。
【００３２】
本実施例で説明したカップ容器補助具１を構成する各部材は、全て軽量でかつ硬質の樹脂製であるが、金属その他の材質を用いてもよい。また、部材毎に異なる素材を用いてもよい。例えば、硬質の樹脂製からなるハンドル部の表面を柔軟な樹脂で被覆することで、把持しやすい構成としてもよい。
【００３３】
（その他の実施例）
（１）上述の実施例では、左手で把持するカップ容器補助具を説明したが、例えば、図１０に示すカップ容器補助具１００のように、凸部（３１ａ〜３１ｃ）と同様の凸部（３１ｄ〜３１ｆ）を正面側にも設け、かつ上端支持部５ａの部位（９ａ，９ｂ）を略同等の長さとすることにより、左右対称な構造にして、ハンドル部を右手でも把持し得る構成としてもよい。
（２）下端支持部材２を構成する外壁部２ｂ及び内壁部２ｃは、いずれも略円形状に設けられるが、円周全てが形成されることは必須ではない。例えば、図１１に示す下端支持部材２０のように、外壁部２０ｂ及び内壁部２０ｃが略９０°間隔に４箇所ずつ設けられる構成でもよいし、又は１２０°間隔で３箇所ずつ設けられる構成でもよい。
（３）上述の実施例のカップ容器補助具と異なり、ヒンジ部４が設けられず下端支持部材２と把持部材３が一体成形された構成でも構わない。
（４）上端支持部材５と把持部材３が一体成形された構成としてもよい。
（５）上述の実施例のカップ容器補助具と異なり、台座部２ａは、平板な略円形状のものでも構わない。
【産業上の利用可能性】
【００３４】
本考案は、高齢者または障がい者の食事支援具として有用である。
【符号の説明】
【００３５】
１，１００  カップ容器補助具
２，２０  下端支持部材
２ａ  台座部
２ｂ，２０ｂ  外壁部
２ｃ，２０ｃ  内壁部
２ｄ，５ｃ  溝部
３  把持部材
３ａ  ベース部
３ｂ  ハンドル部
４  ヒンジ部
５  上端支持部材
５ａ  上端支持部
５ｂ  固定部
５ｄ  貫通孔
６  留め具
７  ワッシャ
８，８ａ，８ｂ  カップ容器
９ａ，９ｂ  部位
１０ａ〜１０ｃ  矢印
３０  雌螺子部
３１ａ〜３１ｆ  凸部
６０  雄螺子部
８１  高台
８２  上端縁部
Ｒ  直径
【図１】
0003222287.tif 000003
【図２】
0003222287.tif 000004
【図３】
0003222287.tif 000005
【図４】
0003222287.tif 000006
【図５】
0003222287.tif 000007
【図６】
0003222287.tif 000008
【図７】
0003222287.tif 000009
【図８】
0003222287.tif 000010
【図９】
0003222287.tif 000011
【図１０】
0003222287.tif 000012
【図１１】
0003222287.tif 000013
【手続補正書】
【提出日】令和1年5月27日(2019.5.27)
【手続補正１】
【補正対象書類名】実用新案登録請求の範囲
【補正対象項目名】請求項３
【補正方法】変更
【補正の内容】
【請求項３】
前記把持部材の上端には、雌螺子部と、前記雌螺子部に螺合する雄螺子部を備えた留め具が設けられ、
前記上端支持部材は、円形状又は長円形状の貫通孔が形成された固定部と、前記上端支持部を備え、
前記貫通孔に前記留め具を挿通し、前記留め具と前記把持部材の上端を螺合することにより、前記上端支持部材を回動自在に固定し得ることを特徴とする請求項２に記載のカップ容器補助具。